(57)【要約】【課題】  侵入者検知及びそれに伴う警報出力機能を有する安価なガス漏れ警報器を提供する。【解決手段】  ガス濃度異常警報を出力するガス漏れ警報器１Ａであって、検知領域内に侵入した侵入者を感知する人感センサ４４を備え、該侵入者が感知された場合に出力される侵入者警報とガス濃度異常警報との双方を共通の警報出力部２３から警報出力する。そして、警報出力部２３による警報出力モードを、侵入者警報の出力が禁止され、かつガス濃度異常警報の出力が許可される通常モードと、それら双方の警報の出力が許可される侵入者監視モードとの間で切り替えるスイッチ部２５を備える。【選択図】  図１
2008108037.tif 000002
【特許請求の範囲】
【請求項１】
建物のガス供給先となる室内のガス濃度をガスセンサにて検知するとともに、前記ガス濃度が予め定められた閾レベルを超えたか否かを判定して、該ガス濃度が該閾レベルを超えた場合にガス濃度異常警報を警報出力部から出力するガス漏れ警報器であって、
前記ガスセンサからの前記ガス濃度の検知情報に基づいて、前記警報出力部にガス濃度異常警報を出力させるガス濃度異常警報出力制御手段と、
前記建物への侵入者を検出する侵入者検出手段と、
前記侵入者検出手段が前記侵入者を検出した場合に、前記ガス濃度異常警報と同一の前記警報出力部から侵入者警報を出力させる侵入者警報出力制御手段と、
を備えたことを特徴とするガス漏れ警報器。
【請求項２】
前記侵入者警報出力制御手段による前記侵入者警報の出力制御が禁止され、かつ前記ガス濃度異常警報出力制御手段による前記ガス濃度異常警報の出力制御が許可される通常モードと、前記侵入者警報出力制御手段による前記侵入者警報の出力制御と前記ガス濃度異常警報出力制御手段による前記ガス濃度異常警報の出力制御との双方が許可される侵入者監視モードとを切り替えるモード切替手段を有する請求項１記載のガス漏れ警報器。
【請求項３】
前記モード切替手段は、モード切替スイッチからの切り替え操作信号に基づいて前記通常モードと前記侵入者監視モードとを切り替える請求項２記載のガス漏れ警報器。
【請求項４】
前記ガスセンサと前記警報出力部とが筐体に一体的に組み込まれた警報機本体を有し、前記モード切替スイッチが該警報機本体に設けられている請求項３記載のガス漏れ警報器。
【請求項５】
前記侵入者検出手段は、予め定められた検知領域内に存在する侵入者に感応して検出出力を発生する人感センサであり、該人感センサが前記警報機本体に一体的に組み込まれてなる請求項４記載のガス漏れ警報器。
【請求項６】
前記警報出力部は、前記侵入者検出手段が前記侵入者を検知した後、予め定められた警報非出力期間が経過した後に前記侵入者警報を出力する請求項１ないし請求項５のいずれか１項に記載のガス漏れ警報器。
【請求項７】
請求項２記載の要件を備え、
前記警報出力部は、前記モード切替手段により前記侵入者監視モードが設定された後、予め定められた警報非出力期間が経過した後に前記侵入者警報を出力可能な状態に移行する請求項１ないし請求項６のいずれか１項に記載のガス漏れ警報器。
【請求項８】
前記警報出力部は、前記侵入者警報と前記ガス濃度異常警報とを互いに異なる出力パターンにて出力する請求項１ないし請求項７のいずれか１項に記載のガス漏れ警報器。
【請求項９】
前記警報出力部は、前記侵入者警報及び前記ガス濃度異常警報の出力を予め定められた警報出力期間だけ出力する請求項１ないし請求項８のいずれか１項に記載のガス漏れ警報器。
【発明の詳細な説明】
【技術分野】
【０００１】
本発明は、ガス漏れ警報器に関する。
【背景技術】
【０００２】
【特許文献１】特許第３０２０６７９号
【０００３】
従来、燃焼ガスや不完全燃焼ガス等を検知するために設置されるガス漏れ警報器は、コンロ等のガス機器が設置されているキッチンや、ガスストーブ等の暖房器具が使用される居間等に設置されるとともに、その必要性から一般の家庭、さらにはオフィス等にも広く普及している。
【０００４】
また、特許文献１には、こうしたガス漏れ警報器に人感センサを設け、ガス漏れ警報器が警報レベルに達していても、該人感センサが人を検知している場合には、それを当該人物による人為的な可燃性スプレーの噴出と判断して、警報出力を行なわないようにする技術の開示がある。
【発明の開示】
【発明が解決しようとする課題】
【０００５】
ところで、近年、室内における防犯・セキュリティ向上の要望が高まっている。しかしながら、侵入者検知器として赤外線センサ等による侵入者の検知に伴いブザー等で異常報知するもの等が提供されるようになりつつあるものの、侵入者の警報出力機能単独の装置はまだ一般に普及するほどのニーズが無く、安価なものでもではない。
【０００６】
本発明は、上記課題に鑑みてなされたものであり、侵入者検知及びそれに伴う警報出力機能を有する安価なガス漏れ警報器を提供することにある。
【課題を解決するための手段及び作用・効果】
【０００７】
上記の課題を解決するために本発明のガス漏れ警報器は、建物のガス供給先となる室内のガス濃度をガスセンサにて検知するとともに、ガス濃度が予め定められた閾レベルを超えたか否かを判定して、該ガス濃度が該閾レベルを超えた場合にガス濃度異常警報を警報出力部から出力するガス漏れ警報器であって、
ガスセンサからのガス濃度の検知情報に基づいて、警報出力部にガス濃度異常警報を出力させるガス濃度異常警報出力制御手段と、
建物への侵入者を検出する侵入者検出手段と、
侵入者検出手段が侵入者を検出した場合に、ガス濃度異常警報と同一の警報出力部から侵入者警報を出力させる侵入者警報出力制御手段と、
を備えたことを特徴とする。
【０００８】
上記本発明のガス漏れ警報器では、ガス濃度異常警報を出力できるとともに、不法侵入者を検知し、当該侵入者の存在を警報する侵入者警報を出力することが可能となる。さらに、この侵入者警報とガス濃度異常警報とを同一の警報出力部から行えるので構成が簡易であるから、ガス漏れ警報器に対し侵入者警報機能を安価に搭載できる。そして、ガス漏れ警報器自体のニーズが比較的高いことから、多くの世帯、オフィス等への不法侵入者の検知・警報出力機能の普及が見込める。
【０００９】
また、上記構成において、侵入者警報出力制御手段による侵入者警報の出力制御が禁止され、かつガス濃度異常警報出力制御手段によるガス濃度異常警報の出力制御が許可される通常モードと、侵入者警報出力制御手段による侵入者警報の出力制御とガス濃度異常警報出力制御手段によるガス濃度異常警報の出力制御との双方が許可される侵入者監視モードとを切り替えるモード切替手段を設けることができる。これにより、必要に応じて侵入者警報が出力されるよう侵入者監視モードと通常モードとを切り替えて設定できる。
【００１０】
この場合、モード切替手段は、モード切替スイッチからの切り替え操作信号に基づいて通常モードと侵入者監視モードとを切り替えるものとできる。これにより、室内に人が不在状態となる状況の到来等に応じて警報出力モードをユーザーが任意に切り替えることができる。
【００１１】
また、上記構成において、ガスセンサと警報出力部とが筐体に一体的に組み込まれた警報機本体を有し、モード切替スイッチを該警報機本体に設けることができる。さらに、侵入者検出手段を、予め定められた検知領域内に存在する侵入者に感応して検出出力を発生する人感センサとし、該人感センサを警報機本体に一体的に組み込むことができる。通常、空き巣等の不法侵入者が留守宅に侵入する場合、玄関、勝手口、居間の窓等から侵入され、金品を狙う場合には、居間やキッチン等に侵入される。警報機本体は、不法侵入者が比較的侵入する可能性の高い居間やキッチン等の進入経路上に設置されることが多いので、効果的に不法侵入者を検出できる。さらに、警報機本体の設置作業性も向上する。
【００１２】
上記本発明の構成における警報出力部を、侵入者検出手段が侵入者を検知した後、予め定められた警報非出力期間が経過した後に侵入者警報を出力するものとできる。これにより、不法侵入者に対し、侵入者検出手段の設置位置が容易に判明されないようにでき、侵入者による警報解除が容易にできないようになっている。また、上記のモード切替手段を備える場合においては、ガス漏れ警報器を設けた家の者が当該モード切替手段により侵入者警報が出力されないように設定すべく室内を移動した際に、侵入者警報が出力されることを防ぐことができる。
【００１３】
また、この警報出力部を、モード切替手段により侵入者監視モードが設定された後、予め定められた警報非出力期間が経過した後に侵入者警報を出力可能な状態に移行するものとできる。これにより、侵入者監視モードを設定した者が外へ出るために室内を移動する際に、侵入者警報が出力されることを防ぐことができる。
【００１４】
また、上記本発明の構成における警報出力部を、侵入者警報とガス濃度異常警報とを互いに異なる出力パターンにて出力するものとできる。これにより、近隣の者に、ガス漏れの発生及び不法侵入の発生を区別して認識してもらうことができ、適切な対応が迅速に行われ易くなる。
【００１５】
また、警報出力部を、侵入者警報及びガス濃度異常警報の出力を予め定められた警報出力期間だけ出力するものとし、長時間の警報出力を防止することができる。
【発明を実施するための最良の形態】
【００１６】
以下、本発明の実施形態を添付の図面を用いて詳しく説明する。
図１は、ガス漏れ警報器の一実施形態を示すブロック図である。図１のガス漏れ警報器１Ａは、電源部５０から電源供給を受けて駆動する制御部１０と、被検知ガスのガス濃度を検知するガスセンサ部２１と、警報出力部として警報内容を視認可能に出力する表示部２２と、警報出力部として警報を警報音として出力する警報部２３と、建物への侵入者を検出する人感センサ部２４と、後述する警報出力モード（通常モード及び侵入者監視モード）を切り替えるスイッチ部（モード切替スイッチ）２５とを備える。これらは、図２（ａ）に示す筐体２に一体的に組み込まれて警報機本体１００をなす。該警報機本体１００の表面側には、表示部２２であるＬＥＤ４２が視認可能に、スイッチ部２５であるスイッチ４５が操作可能にそれぞれ設けられている。また、警報機本体１００には、警報音出力用窓部４３ａが設けられ、内蔵される警報部２３からの出力音（警報音）が該警報音出力用窓部４３ａを介して出力される。この警報機本体１００が建物のガス供給先となる室内に設置される。具体的には、コンロ等のガス機器が設置されているキッチンや、ガスストーブ等の暖房器具が使用される居間、さらにはオフィス等の室内の壁部に設置される。
【００１７】
制御部１０は、図１に示すように、ＣＰＵ１１、各種プログラム等を記憶するＲＯＭ１３、これらプログラム実行の際に使用されるワークメモリを備えるＲＡＭ１２、入出力部（図中のＩ／Ｏ）１５、及びこれらを接続するバスライン１４を備える周知のマイコンとして構成されている。入出力部１５には、ガスセンサ部２１、表示部２２、及び警報部２３が接続されている。この制御部１０は、ガスセンサ部２１が検知する被検知ガスのガス濃度が予め定められた閾レベルを超えたか否かを判定する。そして、該ガス濃度が該閾レベルを超えた場合をガス濃度異常（ガス漏れ異常）警報と判定して、警報出力部である表示部２２及び警報部２３に、該ガス濃度異常警報を出力するよう警報出力指令を与える。つまり、制御部１０が本発明のガス濃度異常警報出力制御手段として機能する。
【００１８】
ガスセンサ部２１は、本実施形態においては、半導体式感ガス体を用いた周知の半導体ガスセンサとガスセンサ制御部とを備えて構成される。このガスセンサ部２１では、感ガス体がヒータにより加熱され、そのときの感ガス体の抵抗値を反映する検出信号が、被検知ガスの濃度に対応するセンサ出力（ガス検知情報）としてガスセンサ制御部に出力される。ガスセンサ制御部では、入力されるこの検出信号をコンパレータ等により所定の閾値（閾レベル）と比較し、その上で制御部１０の入出力部１５に対し、閾値を超えていない場合にはガス濃度が正常レベルにあることを示すレベル信号を、閾値を超えている場合にはガス濃度が異常レベルにある（ガス濃度異常である）ことを示すレベル信号を出力する。制御部１０では、入出力部１５がガス濃度異常を示すレベル信号を受信すると、警報出力部である表示部２２及び警報部２３に対し、ガス濃度異常警報を出力させる警報出力指令を与え、表示部２２及び警報部２３からその警報出力指令に対応する予め定められた出力パターンのガス濃度異常警報が出力される。なお、半導体ガスセンサに替わって、他のガス検知方式を有するガスセンサを用いてもよい。
【００１９】
警報部２３は、ブザーとして構成され、ブザー音を警報出力してガス濃度異常を報知する。具体的には、ＲＯＭ１３の警報出力パターン記憶部１３ａに、ガス濃度異常警報と後述する侵入者警報とに対応する警報音の出力パターンを記憶し、制御部１０からガス濃度異常警報用の警報出力指令が入力された場合には、ガス濃度異常警報に対応する出力パターンで、制御部１０から侵入者警報用の警報出力指令が入力された場合には侵入者警報に対応する出力パターンで警報出力がなされる。
【００２０】
ガス濃度異常警報と侵入者警報との出力パターンの違いは、音量の大小、連続音と断続音、断続音における出力期間と非出力期間の間隔差等により定めることができる。本実施形態においては、侵入者警報は連続音、ガス濃度異常警報が断続音として定められている。
【００２１】
さらに、ガス濃度異常警報の出力パターンに関して、ガス濃度異常警報の出力パターンを、ガスセンサが検知するガス濃度の濃度レベルに応じて異なるように出力することができる。具体的には、ガスセンサにて検知されるガス濃度に対し、当該ガス濃度の濃度レベルに応じた複数の警報レベルと、それら警報レベル毎に対応するガス濃度異常警報の出力パターンと対応付けた形でＲＯＭ１３の警報出力パターン記憶部１３ａに記憶して、制御部１０が、ガスセンサ部２１のガスセンサから出力されるガス濃度の検知情報に基づいて警報レベルを判定し、判定された警報レベルに対応する出力パターンにてガス濃度異常警報を出力するように構成できる。
【００２２】
本実施形態においては、ガスセンサ部２１のガスセンサから出力されるガス濃度の検知情報を、制御部１０が、第一のガス濃度レベルよりも高レベル（高濃度）である第一警報レベルと、該第一のガス濃度レベルよりも低い第二のガス濃度レベルよりも高レベル（高濃度）であり、かつ該第二のガス濃度レベルよりも低レベル（低濃度）である第二警報レベルとのいずれであるかを判定し、ガス濃度異常警報を、判定された警報レベルに応じた出力パターンにて警報出力するように構成されている。つまり、ガスセンサ部２１から出力されるガス濃度異常を示すレベル信号は、上記の警報レベルを反映する形で入出力部１５に入力され、制御部１０では、入出力部１５が示す警報レベルに対応する出力パターンにてガス濃度異常警報を出力させる警報出力指令を、警報出力部である表示部２２及び警報部２３に対し与える。そして、警報部２３からは、その警報出力指令に対応する予め定められた出力パターンの警報音が出力される。
【００２３】
また、このようにガスセンサが検知するガス濃度の濃度レベルに応じてガス濃度異常警報の出力パターンを変更する場合、その出力パターンを、ガスセンサにより検知されたガス濃度が高いほど、警報音のボリュームが大となるよう設定できる。この場合、検出されるガス濃度が予め定められた第一警報レベルを超えた場合に屋外まで聞こえるように設定することで、屋外の人間に対しても当該ガス漏れ警報器１Ａが設置された室内のガス濃度が高濃度であることを報知できる。また、侵入者警報の出力パターンにおいても、この屋外まで聞こえるレベルのボリューム設定がなされていてもよい。これにより、屋外の人間に危険が認知され、速やかな対応がなされる。また、連続音と断続音とで侵入者警報とガス濃度異常警報とが区別されていれば、屋外の人間による状況に応じた適切な対応も見込める。
【００２４】
なお、警報音の出力パターンは、検知されたガス濃度が高いほど、出力期間と非出力期間とが繰り返される警報音の出力期間が長くなるように設定してもよい。また、これを上記のボリューム設定と合わせて行なうこともできる。
【００２５】
なお、警報部２３を、音声出力部をなすスピーカーと音声出力制御部とにより構成し、侵入者警報とガス濃度異常警報とを、それぞれを認識可能な内容でスピーカーより音声出力するものであってもよい。また、ガス濃度異常警報に関しては、上記した警報レベルを認識可能な内容で音声出力してもよい。具体的には、警報レベルに対応する警報音声の音源を警報出力パターン記憶部１３ａに記憶して、音声出力制御部を、該警報出力パターン記憶部１３ａに記憶された音源をアナログデータに変換する図示しない周知のＤ／Ａ変換部と、該アナログデータを所定の音量にするための図示しない周知の増幅回路を備えて構成することで、スピーカーから侵入者警報とガス濃度異常警報とを音声出力することができる。
【００２６】
表示部２２は、ＬＥＤ４２（図２）と図示されないＬＥＤ点灯制御部とを備えて構成され、警報をその発光部の点灯状態により出力する。具体的には、制御部１０から送信される警報出力指令に基づいて、ＬＥＤ点灯制御部がＬＥＤ４２を対応する点灯パターンにて出力させる。例えば、警報出力指令に基づいてＬＥＤ４２を非点灯状態から点灯状態にする、あるいは点灯色や点灯パターンを通常時とは異なるものに切り替える。
【００２７】
また、この場合、表示部２２においては、ＬＥＤの点灯パターンを、ガス濃度異常警報の出力パターンと侵入者警報の出力パターンとで区別される形で行なうことができる。具体的には、図２（ｂ）及び図２（ｃ）に示すように、点灯色をそれぞれの出力パターンで異なるように定めることができる。本実施形態においては、検出されたガス濃度が危険レベルを超えた場合とにおける点灯色を赤、検出されるガス濃度が危険レベル以下の警報レベルである場合を黄、ガス濃度が警報レベルに到達していない場合を緑と定め、さらに侵入者が検出されている場合を点滅表示（例えば色を赤とする）、検出されている場合を緑と定められている。
【００２８】
なお、表示部２２として周知の液晶表示器を採用し、ガス濃度異常警報と後述する侵入者警報とを表示画面からそれぞれに対応する表示内容（例えば対応する文字情報やマーク）で出力することもできる。この場合、表示画面をなすドット・マトリックスＬＣＤ（Liquid Crystal Display）、及び該ＬＣＤに対するドライバ回路であるＬＣＤ制御部を含んで構成される。ＬＣＤ制御部は、例えば、画素毎にトランジスタを付けて目的の画素を確実に点灯させたり消したりすることができるアクティブマトリックス駆動方式が用いられ、制御部１０から送信される警報出力指令及び警報表示画面データに基づいてＬＣＤを駆動する。警報出力部としては、他に有機ＥＬ（ElectroLuminescence：電界発光）表示器や無機ＥＬ表示器等を用いてもよい。
【００２９】
また、制御部１０の入出力部１５には、人感センサ部２４と、スイッチ部２５と、ガスメーターＩ／Ｆ３６とが接続されている。ガスメーターインターフェース（図中のガスメーターＩ／Ｆ）３３はコネクタ部３３ａを介しガスメーター４３と接続可能とされている。つまり、本実施形態におけるガス漏れ警報器１Ａは、ガスセンサ部４１、警報出力部（表示部及び警報部）４２，４３とともに、人感センサ部２４及びスイッチ部４５を筐体２に固定的に内蔵する形で構成されている。これにより、配線等の設置作業性がよくなっている。
【００３０】
また、この制御部１０は、スイッチ部２５のスイッチ４５の操作によって後述する侵入者監視モードに切り替えられると、人感センサ部２４が人、即ち侵入者を検出したか否かを判定する。そして、侵入者を検出した場合に、上述したガス濃度異常警報と同一の警報出力部（表示部２２及び警報部２３）に対し、侵入者警報を出力するよう警報出力指令を与える。この制御部１０が本発明の侵入者警報出力制御として機能する。
【００３１】
人感センサ部２４は侵入者検出手段として機能し、人感センサ４４と人感センサ制御部３４とを備えて構成され、警報器本体１００が設置された空間の予め定められた検知領域内に存在する侵入者に感応して検出出力を発生する。本実施形態における人感センサ４４は、予め定められた検知領域内において、人体から放射された赤外線を受けて検出信号を発生する赤外線センサである。人感センサ制御部３４は、人感センサ４４の検出出力をコンパレータ等により所定の閾値（閾レベル）と比較し、その上で入出力部１５に対し、閾値を超えていない場合には人が存在しないことを示すレベル信号を、閾値を超えている場合には人が存在することを示すレベル信号を出力する制御回路である。制御部１０では、入出力部１５が人の存在を示すレベル信号を受信すると、警報出力部である表示部２２及び警報部２３に対し、侵入者の存在を警報するために侵入者警報を出力する警報出力指令を与え、それぞれから予め定められた出力パターンの侵入者警報が出力される。
【００３２】
なお、人感センサ部２４を構成する人感センサ４４として、マイク等から人が歩く音を検出して人の存在を検知する音響センサ、光源と光センサを向かい合わせて光の遮断を検知する遮光形光センサ、電波や超音波等を用いて人からの反射波を受光する反射形センサ、静電容量式のセンサ、さらには、検出対象エリアの撮影画像を画像解析して人を検知してもよい。
【００３３】
このように、本発明に係るガス漏れ警報器１Ａは、通常のガス濃度異常警報だけでなく、侵入者の存在を知らせる侵入者警報の出力が可能となっている。具体的には、警報出力部である表示部２２及び警報部２３により行われる侵入者警報とガス濃度異常警報との警報出力モードを、侵入者警報の出力が禁止され、かつガス濃度異常警報の出力が許可される通常モードと、侵入者警報及びガス濃度異常警報の双方の出力が許可される侵入者監視モード（留守宅監視モード）との間で切り替えるスイッチ部２５が設けられており、このスイッチ部２５のスイッチ４５の操作状態に応じて、通常モードと侵入者監視モードとが設定される。
【００３４】
スイッチ部２５は、スイッチ４５への操作に応じて、スイッチ信号発生部３５から入出力部１５に出力される信号レベルを変更するよう構成されている。具体的に言えば、通常モード時にスイッチ４５が押圧操作されると、入出力部１５に入力されていた通常モードに対応するレベル信号が、侵入者監視モードに対応するレベル信号に切り替えられる。そして、これに伴い制御部１０では、侵入者警報の出力制御とガス濃度異常警報の出力制御との双方が許可される侵入者監視モードが設定される。逆に、侵入者監視モード時にスイッチ４５が押圧操作されると、入出力部１５に入力されていた侵入者監視モードに対応するレベル信号が、通常モードに対応するレベル信号に切り替えられる。そして、これに伴い制御部１０では、侵入者警報の出力制御が禁止され、かつガス濃度異常警報の出力制御が許可される通常モードが設定される。本実施形態では、主に制御部１０が本発明のモード切替手段として機能する。
【００３５】
なお、スイッチ４５による警報出力モードの切り替え操作は、１回の押圧操作よりもユーザーによる操作負担が大きくなるように定められ、誰しもが容易に切り替えられるようにはなっておらず、その操作内容を知る者にしか操作出来ないようになっている。具体的には、スイッチ４５の長押し等である。さらには、スイッチ４５の操作付勢状態が継続されている期間と、操作付勢状態が解除された期間とを予め定められたパターンにて組み合わせたパターン操作として定めることもでき、制御部１０が、スイッチ４５の操作パターンとＲＯＭ１３に記憶されたマスターパターンとを照合して、その照合結果に基づいて通常モードから侵入者監視モードへ移行させるようにすることもできる。逆に、侵入者監視モードから通常モードへの切り替え操作も、長押しや上記のようなパターン操作とすることができる。このとき、通常モードから侵入者監視モードへの切り替え操作と侵入者監視モードから通常モードへの切り替え操作とを同一の操作とすることで、操作すべき者がその操作内容を把握し易くなる。
【００３６】
制御部１０のＲＯＭ１３には、スイッチ４５が侵入者監視モードに操作された場合に、ＲＯＭ１３に記憶された侵入者監視処理を起動する。図３は、その侵入者監視処理の一実施形態である侵入者監視処理Ａの処理フローを示すものである。以下、侵入者監視処理Ａの流れを説明する。
【００３７】
まず、Ｓ１において、スイッチ４５の操作により制御部１０に侵入者監視モードが設定されるとともに、制御部１０に搭載されているタイマーが起動する。そして、Ｓ２では、そのタイマーにて予め定められた遅延時間Ｔ１が経過するまで、制御部１０により侵入者警報の出力が禁止される。つまり、この遅延時間Ｔ１の間に人感センサ部２４（具体的には人感センサ部２４の人感センサ４４）が人を検知しても、制御部１０は、表示部２２及び警報部２３に対し侵入者警報の出力指令を与えない。これにより、ガス漏れ警報器１Ａに接近してスイッチ４５を操作（侵入者監視モードに操作）した操作者が人感センサ部２４により検知されて、侵入者警報が出力されることを防ぐことができる。Ｓ２にて遅延時間Ｔ１が経過するとＳ３に進む。なお、通常モードにおいて、人感センサ部２４による検知動作を停止させておき、その停止状態をＳ２における遅延時間Ｔ１まで継続するとともに、Ｓ３にて人感センサ部２４による検知動作を再開させるようにしてもよい。
【００３８】
Ｓ３では、制御部１０が、人感センサ部２４により人が検知されたか否かを、入出力部１５への入力信号から判定する。人が検知されなければＳ３を繰り返す。人が検知された場合にはＳ４に進む。Ｓ４では、再び制御部１０に搭載されているタイマーが起動して、予め定められた遅延時間Ｔ２が経過するまで、制御部１０が侵入者警報の出力を禁止する。侵入者警報の出力の禁止は、上記遅延時間Ｔ１と同様にしてなされる。これにより、ガス漏れ警報器１Ａに接近してスイッチ４５を通常モードに操作（侵入者監視モードを解除）した操作者が人感センサ部２４により検知されて、侵入者警報が出力されることを防ぐことができる。Ｓ４にて遅延時間Ｔ２が経過するとＳ５に進む。
【００３９】
Ｓ５では、スイッチ４５が通常モードに操作されたか否かを、入出力部１５への入力信号から判定する。通常モードに操作されていなければ、Ｓ７に進み、タイマーを起動した上で警報出力部である表示部２２及び警報部２３により侵入者警報を出力する。そして一定時間Ｔ３が経過すると侵入者警報の出力を停止してＳ３に戻る。Ｓ５にて、スイッチ４５が通常モードに操作された場合には、該スイッチ操作により制御部１０に通常モードが設定され、本プログラムが終了する。
【００４０】
なお、図３に示す侵入者監視処理Ａは侵入者警報出力用の処理であり、ガス濃度異常警報出力用の処理は侵入者監視処理Ａとして別途並列的に実行されている。この場合、侵入者警報とガス濃度異常警報とを互いに異なる出力パターンにて出力することができる。
【００４１】
次に、上記侵入者監視処理Ａとは異なる処理であり、侵入者警報とガス濃度異常警報とを互いに異なる出力パターンにて出力する、本実施形態に適用可能な侵入者監視処理Ｂについて、図４を用いて説明する。
【００４２】
まず、Ｓ１１において、スイッチ４５の操作により制御部１０に侵入者監視モードが設定される。Ｓ１２では、ガスセンサ部２１により検知したガス濃度が異常レベルにあるか否かを判定する。ガス濃度異常であればＳ１３に進み、制御部１０がガス濃度異常警報用の警報音を設定する。そして、Ｓ１４にて、設定した警報音を警報部２３より出力させる。このとき、Ｓ１３にてガス濃度異常警報用の警報表示内容を設定し、Ｓ１４にて設定した警報表示内容を表示部２２に表示してもよい。異常でなければＳ１８に進む。
【００４３】
Ｓ１８では、人感センサ部２４により人が検知されたか否かを、入出力部１５への入力信号から判定する。人が検知されなければＳ１２に戻る。人が検知された場合にはＳ１９に進み、制御部１０が侵入者警報用の警報音を設定する。そして、Ｓ１４に進み、設定した警報音を警報部２３より出力させる。このとき、Ｓ１９にて侵入者警報用の警報表示内容を設定し、Ｓ１４にて設定した警報表示内容を表示部２２に表示してもよい。
【００４４】
Ｓ１４にて警報出力がなされるとＳ１５に進み、スイッチ４５が通常モードに操作されたか否かを、入出力部１５への入力信号から判定する。通常モードに操作されていなければ、警報出力を継続した状態でＳ１２に戻る。Ｓ１５にて、スイッチ４５が通常モードに操作された場合には、Ｓ１６にて警報出力が停止され、さらにＳ１５におけるスイッチ操作により制御部１０に通常モードが設定されて、制御部１０は人感センサ部２４の検知動作を停止させ、本プログラムを終了する。
【００４５】
この侵入者監視処理Ｂの場合、ガス濃度異常が検知されている場合には、侵入者警報の警報がなされない。これにより、ガス濃度異常に対し何らかの対策を施すために、人感センサ部２４の検知領域内に侵入した人により、侵入者警報がガス濃度異常と同時に警報されることがない。
【００４６】
以上、本発明の一実施形態について説明したが、本発明は当該実施形態に限定されるものではなく、本発明の主旨を逸脱しない範囲にて種々の変形を加えることが可能である。
【００４７】
例えば、図５に示すガス漏れ警報器１Ｂのように、人感センサ４４を、警報器本体１００に対しコネクタ部３４ａを介して着脱可能に組付けるように構成することができる。さらに、スイッチ４５を、警報器本体１００に対しコネクタ部３５ａを介して着脱可能に組付けるように構成することができる。図５の場合、人感センサ４４は、コネクタ部３１ａを介して人感センサ制御部３４に接続されることで人感センサ部２４として機能し、スイッチ４５は、コネクタ部３５ａを介してスイッチ信号発生部３５に接続されることでスイッチ部２５として機能する。そして、スイッチ４５が警報器本体１００に対し非接続状態にある場合には制御部１０は絶えず通常モードに設定されるとともに、人感センサ４４及びスイッチ４５が警報器本体１００に対し接続され、なおかつ該スイッチ４５が侵入者監視モードに切り替えられた場合に、侵入者警報機能、例えば上記のような侵入者監視処理が実行される。これにより、人感センサ４４及びスイッチ４５を警報器本体１００に対し必要に応じて着脱可能であるから、例えば侵入者監視機能の後付けが可能となる。
【図面の簡単な説明】
【００４８】
【図１】本発明の一実施形態に係るガス漏れ警報器の電気的構成を示すブロック図。
【図２】警報器本体の外観図。
【図３】侵入者監視処理を説明するフローチャート。
【図４】図３とは異なる侵入者監視処理を説明するフローチャート。
【図５】図１とは異なる実施形態のガス漏れ警報器の電気的構成を示すブロック図。
【符号の説明】
【００４９】
１Ａ、１Ｂ  ガス漏れ警報器
１０  制御部（ガス濃度異常警報出力制御手段、侵入者警報出力制御手段、モード切替手段）
１００  警報器本体
２１  ガスセンサ部
２２  表示部（警報出力部）
２３  警報部（警報出力部）
２４  人感センサ部
２５  スイッチ部（モード切替スイッチ）
４４  人感センサ（侵入者検出手段）
４５  スイッチ
【図１】
2008108037.tif 000003
【図２】
2008108037.tif 000004
【図３】
2008108037.tif 000005
【図４】
2008108037.tif 000006
【図５】
2008108037.tif 000007